(57)【特許請求の範囲】
【請求項１】
庫内室に２段に構成された引出し式の上段ケースおよび下段ケースと、
前記上段ケースまたは下段ケースのいずれかまたは両方に取り外し自在に設けられ、略直方体形状で上面を開口しその内部に収納空間を有する仕切りと、
前記上段ケースの上部に取り外し自在に載置可能であるとともに、当該上段ケースの下部にスライドして引出し可能に支持される小物専用ケースとを備え、
前記仕切りを設けた上段ケースと下段ケース、および前記仕切りのいずれか一方の底面にはマグネットを有し、他方の底面には金属板を有しており、
前記仕切りにより当該仕切りが設けられた前記上段ケースおよび下段ケースの空間を仕切るとともに、前記仕切りの収納空間に食品を収納可能とした
ことを特徴とする冷凍冷蔵庫。
【請求項２】
前記上段ケースの底板を段違いに形成して深底部と浅底部を構成し、
前記浅底部の底面にレール構造を設け、
前記小物専用ケースを前記レール構造に沿って摺動可能に設けた
ことを特徴とする請求項１記載の冷凍冷蔵庫。
【請求項３】
前記小物専用ケースは前記上段ケースの深底部上部または浅底部上部のいずれにも載置可能な高さ寸法で構成されている
ことを特徴とする請求項２記載の冷凍冷蔵庫。
【請求項４】
前記上段ケースの深底部の高さ寸法が７０〜１００ｍｍ、浅底部の高さ寸法が５０〜７０ｍｍである
ことを特徴とする請求項２または請求項３に記載の冷凍冷蔵庫。
【請求項５】
前記下段ケースの底面から前記上段ケースの深底部までの高さ寸法、前記下段ケースの底面から前記上段ケースの浅底部までの高さ寸法、および前記下段ケースの底面から前記小物専用ケースの底面までの高さ寸法が、１８０〜２５０ｍｍの範囲の寸法となるように構成した
ことを特徴とする請求項２〜請求項４のいずれかに記載の冷凍冷蔵庫。
【請求項６】
前記下段ケースは前記庫内室の扉とともに引出し可能に構成され、
前記上段ケースは前記庫内室の内壁に設けた第一のスライドレールに支持されて、前記下段ケースとは独立して前記庫内室から引出し可能に構成されている
ことを特徴とする請求項１〜請求項５のいずれかに記載の冷凍冷蔵庫。
【請求項７】
前記下段ケースは前記庫内室の扉とともに引出し可能に構成され、
前記上段ケースは前記下段ケースの左右上端部に設けた第二のスライドレールに支持されて、前記下段ケースを引出した際には前記下段ケースと同時に前記庫内室から引出し可能であるとともに、前記下段ケース上を前記第二のスライドレールに沿って摺動可能に構成されている
ことを特徴とする請求項１〜請求項５のいずれかに記載の冷凍冷蔵庫。
【請求項８】
前記上段ケースまたは下段ケースのいずれかまたは両方に、引出し方向に対して前後方向に空間を仕切る荷崩れ防止仕切りを取外し自在に設けた
ことを特徴とする請求項１〜請求項７のいずれかに記載の冷凍冷蔵庫。
【請求項９】
前記荷崩れ防止仕切りを設けた上段ケースおよび下段ケースの前後両側面を渡すようにして設けた支持棒と、
前記荷崩れ防止仕切りに接合され、前記支持棒の直径の６倍を超える長さを有する仕切り板固定部とを備え、
前記支持棒の長さ方向に沿って前記仕切り板固定部を係合させて、前記荷崩れ防止仕切りと前記支持棒とが直交するように固定した
ことを特徴とする請求項８記載の冷凍冷蔵庫。
【請求項１０】
前記荷崩れ防止仕切りを設けた上段ケースおよび下段ケースの前後両側面の対応する位置に穴を形成し、
前記支持棒は、その両端部を前記穴に嵌合させることにより固定されている
ことを特徴とする請求項９記載の冷凍冷蔵庫。
【請求項１１】
前記荷崩れ防止仕切りを設けた上段ケースおよび下段ケースの前後両側面に所定間隔で複数のリブを形成し、
前記支持棒は、その両端部が前記リブに把持されて固定されている
ことを特徴とする請求項９記載の冷凍冷蔵庫。
【請求項１２】
前記荷崩れ防止仕切りは、金属製またはプラスチック製である
ことを特徴とする請求項８記載の冷凍冷蔵庫。
【請求項１３】
前記荷崩れ防止仕切り、支持棒、および仕切り板固定部は、金属製またはプラスチック製である
ことを特徴とする請求項９〜請求項１１のいずれかに記載の冷凍冷蔵庫。
【発明の詳細な説明】
【技術分野】
【０００１】
本発明は、冷凍冷蔵庫に関する。
【背景技術】
【０００２】
最近の家庭用冷凍冷蔵庫の大型機種においては、最上段に冷蔵室、中段に製氷室や冷凍室、下段に野菜室、というレイアウトのもの、または、最上段に冷蔵室、中段に製氷室や野菜室、下段に冷凍室、というレイアウトのものが主流となっている。いずれの場合でも、冷凍室は引出し式に構成されたものが大多数を占める。引出し式ケースはその収納空間の自由度が高く、あらゆる大きさのものを収納できるように見えるが、その自由度ゆえに整理整頓には工夫が必要となる。引出し式ケースの収納整理性が悪いと、複数の食材がケース内で散乱し、必要なものがすぐに取出せない状態となってしまう。また、収納空間にも無駄が生じ、実際のケース容量よりも少ない量の食材しか収納できなくなってしまうこともある。このような状態が生じると、冷凍冷蔵庫の使い勝手への不満をユーザに生じさせてしまうことにもなる。
【０００３】
これまでにも、引出し式ケースの収納性を向上させるためのものとして、「・・・前記冷凍温度室は、第一の容器と、前記第一の容器の上に設けられ、収納深さ寸法が前記第一の容器より小さい第二の容器と、前記第二の容器の上に設けられ、収納深さ寸法が前記第二の容器より小さい第三の容器とを備え、前記第三の容器は、収納深さ寸法が４０〜７０ｍｍである」ものが提案されている（例えば、特許文献１参照）。
【０００４】
また、「引出し式の扉とともに引き出される容器を上下２段で構成し、下段容器の開口部の一部を覆う上段容器を前記下段容器上を前後にスライド移動可能とし、前記上段容器の底面を複数段とすることによって深さの異なる収納部を複数備えた冷蔵庫」が開示されている（例えば、特許文献２参照）。
【０００５】
また、「・・・前記野菜室は、前記立て収納部と、前記上段容器の浅い側の収納部と、前記上段容器の深い側の収納部と、前記上段容器の浅い側の収納部の下側の前記上段容器の底面との間の収納部と、前記上段容器の深い側の収納部の下側の前記上段容器の底面との間の収納部との５つの収納場所を備えてなり、これらの５つの収納部の収納深さをそれぞれ異なる収納深さとしたもの」が提案されている（例えば、特許文献３参照）。
【０００６】
また、「冷蔵庫本体の前面開口部を開閉自在に閉塞する引出し式の扉と、この扉に固定された枠体に載置され扉の開閉にともなって引出し収納される下段容器と、この下段容器上に保持された上段容器とからなり、この上段容器は、底壁と背壁と外側壁と容器内を幅方向に区分する中仕切壁とから形成された後部容器と、後部容器の前方に係合して底壁と前壁と外側壁と前記中仕切壁に係合する側壁よりなる少なくとも幅方向の一側に配置した前部容器により、下段容器上で前後に分割されているとともに、前部容器の底壁は前記後部容器の底壁上で前後方向へ摺動自在に設置されている」ものが提案されている（例えば、特許文献４参照）。
【０００７】
また、「食品を収納するための引出しを備えた冷蔵庫において、引出し内に載置して使用する食品立てであって、底板と、その両端部から起立する端板と、底板に支持されて両端板間の空間を仕切る区画板とを備え」たものが提案されている（例えば、特許文献５参照）。
【０００８】
【特許文献１】特開２００５−８３６８７号公報（第６頁）
【特許文献２】特開２００６−１８３８９８号公報（第４頁）
【特許文献３】特開２００４−９３１３１号公報（第４頁）
【特許文献４】特開２００３−３５４９０号公報（第２頁、３頁）
【特許文献５】実用新案登録第３０４６１７０号公報（第５頁）
【発明の開示】
【発明が解決しようとする課題】
【０００９】
しかし、前記特許文献１で開示された高さを３分割した構造の引出しにおいては、分割することにより整理性は向上するが、現在流通している市販冷凍食品や、冷凍庫に一般的に収納されるであろう食材の大部分を、効率よく収納することは困難である。すなわち、高さを３分割することによって高さ方向への制限が生じ、この制限によって多くの食品は平置きして収納せざるを得なくなる。また、平置きして重ねて収納した結果として、必要な食材を短時間で探し出すことができない、既にストックしている食材をさらに買い足してしまうなど、時間や食材の無駄を生じさせてしまうこととなる。
【００１０】
また、前記特許文献２、特許文献３で開示された冷蔵庫においては、深さの異なる複数の収納部が構成されているものの、野菜室を対象としたものであり、冷凍室に収納される食品の特性やサイズが考慮されておらず、冷凍室に適用することはできない。また、深さの異なる収納部によって生じたスペースの有効活用に関する提案は無く、このスペースは結局無駄になってしまう可能性がある。
【００１１】
また、前記特許文献４で開示された冷蔵庫においては、その容積と高さを複数通りに変化させることのできる容器が提案されているが、装置を構成する部品点数が多く、製造や組み立ての効率が良くない。また、前記特許文献５で開示された冷蔵庫用食品立てにおいては、可動式の仕切り板が設けられているが、仕切り板を載置するための底板が必要であり、この底板の厚み分の収納有効面積を損失することとなっている。そして、底板の底面に食品カスが落ちた場合の清掃性も悪い。また、この食品立ての幅を伸縮することができないため、必ずしもすべての冷凍冷蔵庫に適合させることはできない。さらには、食品立てを入れるケースの底面が食品の重みなどでたわんでいる場合には、食品立ての安定性が悪くなってしまう。
【００１２】
本発明は、上記のような課題を解決するためになされたもので、冷凍室に収納される食材に適した寸法を有し、かつ、収納整理性に優れた収納ケースを備えた冷凍冷蔵庫を提供するものである。
【課題を解決するための手段】
【００１３】
本発明に係る冷凍冷蔵庫は、
庫内室に２段に構成された引出し式の上段ケースおよび下段ケースと、
前記上段ケースまたは下段ケースのいずれかまたは両方に取り外し自在に設けられ、略直方体形状で上面を開口しその内部に収納空間を有する仕切りと、
前記上段ケースの上部に取り外し自在に載置可能であるとともに、当該上段ケースの下部にスライドして引出し可能に支持される小物専用ケースとを備え、
前記仕切りを設けた上段ケースと下段ケース、および前記仕切りのいずれか一方の底面にマグネットを有するとともに他方の底面に金属板を有しており、
前記仕切りにより当該仕切りが設けられた前記上段ケースおよび下段ケースの空間を仕切るとともに、前記仕切りの収納空間に食品を収納可能とした
ことを特徴とするものである。
【発明の効果】
【００１４】
本発明によれば、冷凍室に収納される食品を効率よく収納することができ、かつ取出しやすく収納しやすい収納ケースを備えた冷凍冷蔵庫を提供することができる。
【発明を実施するための最良の形態】
【００１５】
実施の形態１．
図１は、本発明の実施の形態１に係る冷凍冷蔵庫の断面模式図の一例である。図１において、冷凍冷蔵庫本体１０００は、最上部に開閉扉を備えて配置される冷蔵室１００、冷蔵室１００の下方に冷凍温度帯（−１８℃）から冷蔵、野菜、チルド、ソフト冷凍（−７℃）などの温度帯に切替えることのできる引出し扉を備える切替室２００、切替室２００と並列に配置され引出し扉を備える製氷室５００、最下部に配置される引出し扉を備えた野菜室３００、野菜室３００と切替室２００および製氷室５００との間に引出し式の扉１０を備えた冷凍室４００を備える。冷蔵室１００の扉表面には、各室の設定を調節する操作パネル６００が設けられており、冷蔵室１００の背面側には、この操作パネル６００により操作されて設定された温度に基づいて、各庫内室に設置された図示しない温度検出器の温度を調整するよう図示しない圧縮機やダンパーの開閉を制御する制御装置６０１が設けられている。
【００１６】
冷凍室４００には、引出し式の扉１０が設けられ、庫内室には後述する下段ケース１と上段ケース２が備えられている。
【００１７】
冷凍室４００の庫内室のケース形態を検討するに先だって、冷凍庫に収納される食品のサイズの調査を行った。図２は市販の冷凍食品３７８品目のパッケージサイズの分布、図３は市販の箱入り氷菓（箱入りマルチパック）８０品目のパッケージサイズの分布、図４は市販の氷菓（カップ、バーなどの小物）１２９品目のパッケージサイズの分布を示すグラフである。図２、図３において、縦軸はパッケージのタテ寸法、横軸はパッケージのヨコ寸法を示している。なお、図示していないが、図２、図３で示す冷凍食品や箱入り氷菓は、その大多数が扁平なパッケージ形状を有している。図４においては、縦軸は食品の高さ、横軸はパッケージの表面積を示している。なお、図２〜図４においては、同じ食品メーカーのものを同じマーカーで表示している。
【００１８】
図２および図３によると、約９０．８％（４１６／４５８点）の食品のタテ寸法が２００ｍｍ以下、約９９．６％（４５６／４５８点）の食品のタテ寸法が２５０ｍｍ以下であることが分かる。すなわち、食品を立てて収納しようとした場合、収納ケースの高さ方向の寸法を２００ｍｍとすると、図２と図３を合わせて約９０．８％（４１６／４５８点）の食品を収納することができ、収納ケースの高さ方向の寸法を２５０ｍｍとすると、約９９．６％（４５６／４５８点）もの食品を収納することができる。
また、図４に示すように、カップアイスの高さは約６０ｍｍ以下のものが主流であることが分かる。
これら図２〜図４に示す調査結果をもとに、扁平な形状の冷凍食品を立てて収納することができるよう、冷凍室４００の庫内室のケース形態を後述のように構成した。以下、詳細に述べる。
【００１９】
図５は本発明の実施の形態１に係る冷凍室の庫内室内部の斜視図、図６は同じく正面断面模式図である。なお、図６に示すＡ〜Ｅは、それぞれ高さ寸法を表す記号である。
冷凍室の庫内室内部には、下段ケース１、上段ケース２、小物専用ケース３、仕切り４を備える。上段ケース２には、左右に区画された深さの異なる浅底部１１と深底部１２が設けられている。小物専用ケース３は、図５（ａ）に示すように上段ケース２の浅底部１１の下部に配置することができるとともに、図５（ｂ）に示すように浅底部１１の上部に載置することもできる。仕切り４は、内部に収納空間を有する略直方体形状を有し、底面にマグネット７が設けられている（詳細は後述する）。
【００２０】
下段ケース１は、冷凍室４００の扉１０に固定され、扉１０の開閉に伴って引出されるように構成されている。冷凍室４００の内壁には図示しないスライドレールが設けられ、上段ケース２はこのスライドレールに支持されて、下段ケース１とは独立して引出しおよび収納ができるように構成されている。
下段ケース１は、その底面に金属板を埋め込んでおり、プラスチック製のケースと比べて強度が高い。そのため、重量のある食材を収納した場合でもケース形状が変形する心配がない。また、下段ケース１の底面には凹凸形状を設ける必要がないため、見た目にもすっきりしており、清掃性もよい。
【００２１】
図７は、下段ケース１に埋め込む金属板８と、下段ケース１の底面の構成を示す図である。図７（ａ）は、下段ケース１の底面に埋め込む金属板８であり、金属板８はラミネートフィルム９で覆われている。ラミネートフィルム９で覆うことで、防錆効果を得ることができ、また、ユーザが金属板８を脱着する際の怪我を防止することもできる。
図７（ｂ）は、下段ケース１の略式断面図である。下段ケース１の底板の上面側には金属板８がインサート成形され、ネジや留め具などで固定されている。
また、図７（ｃ）に示すように、下段ケース１の底板の下面側に金属板８をインサート成形し、ネジなどを使用して固定するようにしてもよい。このようにすることで、金属板８の汚れを防止することができ、また、ユーザに金属板８を見せることなく意匠性を保つことができる。
【００２２】
上段ケース２の浅底部１１の底面には、小物専用ケース３の引出し方向に沿って左右両側に直線状にレール１３が設けられている。小物専用ケース３は、その上端部に形成されたＬ字状のリブをレール１３に係合させることにより、浅底部１１の底面に摺動可能に支持されている。小物専用ケース３は、浅底部１１と深底部１２との高さの差分と略同じ高さ寸法Ｄを有し、深底部１２と浅底部１１の底面により形成される段差部分に収まるように構成されている。小物専用ケース３は、レール１３に沿って前後に引出し可能であるとともに、完全に引出すことで浅底部１１の底面から取り外すこともできる。取り外した場合には、図５（ｂ）で示すように浅底部１１の上部に載置することができる。なお、小物専用ケース３を浅底部１１の底面に設置する際のレール１３の態様や小物専用ケース３の係合態様は、上記の例に限定するものではない。例えば、小物専用ケース３の上縁近傍に突条を設け、これをレール１３に係合させることとしてもよい。
【００２３】
図６において、下段ケース１の高さ寸法は、上段ケース２の底部が段違いになっていることから、寸法ＡとＢの２種類の高さを有する。高さ寸法Ａの箇所においては、従来の２段ケースよりも背の高い食品を収納することが可能である。下段ケース１の高さ寸法ＡおよびＢは１８０〜２５０ｍｍとする。このようにすることで、図２、図３で示した調査結果によると、市販の冷凍食品および箱入り氷菓の９０％以上を立てて収納することができる。
さらには、上段ケース２の一部に切り欠きを形成してもよい。このようにすることで、下段ケース１の底面から上段ケース２の上端部までの高さ（高さ寸法Ｂ＋Ｄ）の収納スペースを確保でき、ペットボトルや牛乳パックなどの背の高い食品を立てて収納することができる。
【００２４】
上段ケース２の浅底部１１の高さ寸法Ｃは５０〜７０ｍｍとする。この浅底部１１には、トレイ入りの肉や魚、浅めの食品保存容器、ご飯などを、平らに並べてホームフリージングすることができる。平らに広げて並べることで冷却効率を向上させることができ、素早く、かつ、食品の品質を保ったまま凍結させることができる。また、カップアイスなどの氷菓といった細々としたものをストックしておくスペースとしても適している。前述の図４で示した通り、一般的な氷菓の高さは６０ｍｍ程度のものが多数を占めるので、この浅底部１１の高さ寸法Ｃはこれらを収納するのに最適なサイズである。このような細々とした食品を浅底部１１に収納することで、細々とした食品が大きな食品に埋もれてしまう状況を回避することができる。
【００２５】
上段ケース２の深底部１２の高さ寸法Ｄは、７０〜１１０ｍｍとする。この深底部１２には、高さのある食品保存容器や、厚みのある食材などを平置きして収納することができる。扁平な形状をしている食品は後述する下段ケース１に立てて収納するのが適しているが、冷凍室に保存する食材は扁平なものばかりではない。例えば、塊形状の食材や形のいびつな食材もあり、これらを扁平な形状の食品と一緒に整理しようとするとその形状の違いから庫内室が散らかりがちである。しかし、深底部１２という保存領域を設けることで、食品の整理を容易に行うことができる。
【００２６】
小物専用ケース３の高さ寸法Ｅは、浅底部１１の高さ寸法Ｃよりも小さい寸法とする。小物専用ケース３には、冷凍庫の中で散乱しがちなラップに包んだ少量の食品をまとめて収納することができる。小物専用ケース３を上段ケース２の下部に配置した場合、上段ケース２の底部が小物専用ケース３の蓋の役割を果たすので、冷凍室４００の扉１０開閉時に引っかかってラップがはがれてしまうような心配もなく、衛生的に食品を保存することができる。また、小物専用ケース３に保冷剤を収納して上段ケース２の下部に配置し、上段ケース２の浅底部１１に食品を置くと、冷凍室４００の冷気と小物専用ケース３に収納した保冷剤の相乗効果で食品を急速冷凍することもでき、蓄冷トレイとして使用することも可能である。
【００２７】
また、小物専用ケース３の高さ寸法Ｅは、浅底部１１の高さ寸法Ｃよりも小さいため、図５（ｂ）に示すように小物専用ケース３を浅底部１１に載置することができ、扉１０開閉時に小物専用ケース３が引っかかって開閉の妨げとなることはない。また、小物専用ケース３を浅底部１１に載置した場合、下段ケース１には高さ寸法Ａの収納空間ができるので、背の高い食品を立てて収納することができる。
【００２８】
また、小物専用ケース３を浅底部１１に載置した際のずれを防ぐため、浅底部１１と深底部１２の境界位置に図示しない凸形状のストッパーを設けることとしてもよい。ストッパーは、上段ケース２の前後方向に亘って設けてもよいし、中央部分のみ、または、前後両端部のみに設けることとしてもよい。ストッパーを設けることで、浅底部１１に小物専用ケース３を載置した場合、扉１０開閉時などの振動によって小物専用ケース３の位置がずれるのを防ぐことができる。
また、ストッパーを設けるのではなく、上段ケース２の上縁部と小物専用ケース３の上縁部とが掛合して固定されるように両上縁部の形状を構成することとしてもよい。例えば、上段ケース２の上縁部に小物専用ケース３の上縁部を重ね合わせることができるような形状としてもよいし、小物専用ケース３の上縁部に突起部を設けてこれを上段ケース２の上縁部に掛合させることとしてもよい。
【００２９】
また、浅底部１１の下部から取り外した小物専用ケース３は、深底部１２の上部に載置することもできる。この際、深底部１２の側壁面または底面に小物専用ケース３を支持する台座を形成し、この台座に小物専用ケース３を載置することとしてもよい。このようにすることで、深底部１２を上下２段に仕切る２つの収納空間を設けることができ、小さな食材などを多く収納したい場合に便利である。
【００３０】
図８は、仕切り４の構成を示す側面断面模式図（図８（ａ））および上面透視図（図８（ｂ））である。仕切り４は、略直方体形状を有し、上面を開口して内部に収納空間を有している。仕切り４の底面の四隅位置には、ブロック形状のマグネット７が設けられている。下段ケース１の底面には金属板が埋め込まれているため、仕切り４は磁力によって固定され、扉１０の開閉時などの振動で倒れたり移動したりすることはない。なお、マグネット７の形状および配置については、仕切り４を安定して固定することのできるものであれば特に制限は無いが、マグネットの使用量をなるべく少なくしつつ安定性を得るためには図８に示すように四隅に配置するのが望ましい。
【００３１】
このように構成した仕切り４は、例えば扁平な形状の食品を立てて収納する場合に、食品が倒れるのを防ぐ仕切りとして使用することができる。下段ケース１のような広い収納空間を有するケース収納においては、収納する食品がほぼ一杯の場合には、食品を立てて整理した状態を保つことは可能であるが、食品が少ない場合には、扉１０の開閉や食品の出し入れに伴って収納した食品が荷崩れ現象を起こしてしまい、整理整頓された状態を保つことが困難である。その結果、欲しい食品を探すために時間がかかるばかりか、その間庫内室を開けた状態にしているために消費電力のロスも生じさせていた。しかし、この仕切り４を用いると、可動式であるがゆえにユーザは食品の整理をしやすくなり、また、マグネット７によって固定されているので荷崩れ現象を生じさせにくく、整理された状態を保つことができる。また、仕切り４の内部に収納空間を設けたので、細長い食品や自立させにくい食品などを、この仕切り４に収納することができる。そのため、庫内室の整理性をさらに向上させることができる。
【００３２】
また、仕切り４の固定手段としてマグネット７の磁力を利用しているので、縦方向だけでなく、横方向、斜め方向など、あらゆる方向に仕切ることができる。このため、収納する食品やユーザの使い方を制限することがないので、利便性を向上させることができる。
また、仕切り４は離脱着可能な構造であるので、下段ケース１内に汚れが発生した場合でも、取り外して容易に清掃することができる。そのため、清潔な状態で長年使用することができる。
【００３３】
なお、本実施の形態１では、仕切り４の底面にマグネット７を設け、下段ケース１の底面に金属板８を設ける構成としたが、両方の底面にマグネット７を設ける構成とすることもできる。また、仕切り４の底面に金属板８を設けるか、仕切り４自体を金属製とし、下段ケース１の底面にマグネット７を設ける構成とすることもできる。さらには、金属板８として、ステンレス鋼を用いることもできる。ただし、コスト面を考慮すると、前述の実施の形態１で述べた構成とするのが望ましい。
【００３４】
また、本実施の形態１では、仕切り４の形状を、収納空間を備えた略直方体形状とする場合の例について説明したが、ブックエンドのような板形状としてもよい。このようにすることで、仕切り４が閉める体積を小さくすることができ、より多くの食品を収納できるようになる。
【００３５】
実施の形態２．
前記実施の形態１では、マグネット７を設けた仕切り４を、金属板８を設けた下段ケース１の底面に貼り付けて、食品を立てて収納する際の仕切りとする場合の例について説明したが、本実施の形態２では、その他の仕切りの構成について説明する。なお、仕切り以外については、前述の実施の形態１と同一の構成である。
【００３６】
図９は、本発明の実施の形態２に係る冷凍室の庫内室内部の斜視図である。下段ケース１には、前後両側面を渡すようにして支持棒５が設けられている。支持棒５は、下段ケース１の側壁内側に形成された図示しない穴に、その両端部を嵌合させることによって固定されている。仕切り板６は、本発明の荷崩れ防止仕切りに相当するものであり、支持棒５によって支えられ、かつ、支持棒５に沿って前後に移動させることができる。ユーザは、食品の量に合わせて仕切り板６の位置を前後に移動させ、食品を下段ケース１の外周壁との間に挟み込んで整列し、食品が倒れないようにして保存することができる。支持棒５および仕切り板６は、金属製またはプラスチック製である。
【００３７】
図１０は、支持棒５および仕切り板６の構成を示す図である。図１０（ａ）は支持棒５および仕切り板６を上面から見た図、図１０（ｂ）は仕切り板６の側面方向から見た図、図１０（ｃ）は仕切り板６の正面方向から見た図である。図１０において、仕切り板６にはＵ字型の仕切り板固定部６ａが接続されており、この仕切り板固定部６ａが支持棒５を抱え込むようにして、仕切り板６を支持棒５に固定させている。仕切り板固定部６ａの寸法（Ｙ）は、支持棒５の直径寸法（Ｘ）の６倍より大きくなるように構成されているので、扉１０の開閉などで揺れが生じても仕切り板６が前後にずれたりすることがない。
【００３８】
仕切り板６は、支持棒５から着脱自在であり、取り外して１８０度反転させて再装着することもできる。このようにすることで、支持棒５の左または右のいずれかを仕切る仕切りとして用いることができる。また、仕切り板６は支持棒５によって吊り下げられた状態であって下段ケース１の底面に自立しないので、下段ケース１の底面の形状に拘わらず適用することができる。また、簡素な装置構成であるので、清掃等も容易に行うことができる。
【００３９】
図１１は、支持棒５の他の固定方法を示す例である。図１１（ａ）は下段ケース１の斜視図、図１１（ｂ）は下段ケース１の斜視図の一部透視図である。図１１において、下段ケース１の前後両側面の向かい合って対応する位置には、複数のリブ１４ａ〜１４ｆ（以下、リブ１４と称す）が所定間隔で設けられている。支持棒５は、このリブ１４に把持されて固定されている。支持棒５は、他のリブ１４に移動させることもできるので、食品を仕切る位置を変化させることができる。
【００４０】
リブ１４の設置位置は、下段ケース１の底面から１００ｍｍ程度の位置とすることができる。前述の図２および図３より、市販の冷凍食品や箱入り氷菓の大多数は１００ｍｍ以上の高さ寸法を有している。したがって、リブ１４の設置位置の高さを１００ｍｍ程度とすることで、収納する食品の多くを適切に支えることができる。
または、リブ１４の設置位置を、下段ケース１の上限付近（下段ケース１の底面から１８０ｍｍ以上の高さ）としてもよい。このようにすることで、支持棒５も高い位置に配置され、支持棒５を低い位置に配置したときのように収納空間を支持棒５が横切ることがなく、デッドスペースも生じない。したがって、収納する食品の横幅を制限すること無く、様々な大きさの食品を立てて収納することができる。
【００４１】
また、本実施の形態２において、支持棒５および仕切り板６は簡単に取り外すことができるので、不要時には取り外しておいて必要なときのみ使用することができる。また、支持棒５および仕切り板６は簡素で幅を取らない構成としたので、取り外すことなく端に寄せておくだけであっても収納の邪魔とならない。このようにすることで、取り外した支持棒５および仕切り板６の置き場所に困ったり、次回使用するときまでに紛失してしまったりといった心配もない。
【００４２】
なお、上記説明では、仕切り４および仕切り板６を下段ケース１に設ける場合の例について説明したが、上段ケース２または下段ケース１と上段ケース２の両方に設けることとしてもよい。特に、上段ケース２の深底部１２に設けた場合、小型の食品の整理性をさらに向上させることができる。
【００４３】
また、上記説明では、上段ケース２を、冷凍室４００の内部に設けた図示しないスライドレールに支持させて下段ケース１とは独立して引出しおよび収納ができるように構成した場合の例について説明した。しかし、冷凍室４００の内部にスライドレールを設けず、下段ケース１の上端部にスライドレールを設け、このスライドレールによって上段ケース２が支持されることとしてもよい。このようにすることで、下段ケース１を扉１０とともに引出したときに上段ケース２も同時に引出すことができ、かつ、下段ケース１の上端部に設けたスライドレールによって上段ケース２を下段ケース１上で移動させることもできる。
【図面の簡単な説明】
【００４４】
【図１】本発明の実施の形態１に係る冷凍冷蔵庫本体１０００の断面模式図である。
【図２】市販の冷凍食品のパッケージサイズを示すグラフである。
【図３】市販の箱入り氷菓のパッケージサイズを示すグラフである。
【図４】市販の氷菓のパッケージサイズを示すグラフである。
【図５】本発明の実施の形態１に係る冷凍室の庫内室内部の斜視図である。
【図６】本発明の実施の形態１に係る冷凍室の庫内室内部の正面断面模式図である。
【図７】本発明の実施の形態１に係る金属板８および下段ケース１の側面断面図である。
【図８】本発明の実施の形態１に係る仕切り４の側面断面図および上面透視図である。
【図９】本発明の実施の形態２に係る冷凍室の庫内室内部の斜視図である。
【図１０】本発明の実施の形態２に係る支持棒５および仕切り板６の構成を示す図である。
【図１１】本発明の実施の形態２に係る冷凍室の庫内室内部の斜視図である。
【符号の説明】
【００４５】
１  下段ケース、２  上段ケース、３  小物専用ケース、４  仕切り、５  支持棒、６  仕切り板、６ａ  仕切り板固定部、７  マグネット、８  金属板、９  ラミネートフィルム、１０  扉、１１  浅底部、１２  深底部、１３  レール、１４  リブ、１００  冷蔵室、２００  切替室、３００  野菜室、４００  冷凍室、５００  製氷室、６００  操作パネル、６０１  制御装置、１０００  冷凍冷蔵庫本体。
【図１】
0005089496.tif 000002
【図２】
0005089496.tif 000003
【図３】
0005089496.tif 000004
【図４】
0005089496.tif 000005
【図５】
0005089496.tif 000006
【図６】
0005089496.tif 000007
【図７】
0005089496.tif 000008
【図８】
0005089496.tif 000009
【図９】
0005089496.tif 000010
【図１０】
0005089496.tif 000011
【図１１】
0005089496.tif 000012